(57)【要約】【課題】遊技機の前面ドアに装着される機能部材を容易に交換することを可能にした遊技機を提供する。【解決手段】本発明に遊技機は、前面に開口を有する筐体２と、筐体２に対して開閉可能に支持され、開口を閉塞する前面ドア３と、前面ドア３のベース部材３ａに対して着脱可能に装着される前面パネル２０と、前面パネル２０の少なくとも一部に当接して前面パネル２０をベース部材３ａに固定可能であると共に、ベース部材３ａに形成された孔部３ｄに挿入される弾性変形可能な係合手段を備えたホルダ１００とを有する。ホルダ１００は、係合手段を弾性変形することでベース部材３ａから取り外し可能である。【選択図】    図３
2006181089.tif 000002
【特許請求の範囲】
【請求項１】
前面に開口を有する筐体と、
前記筐体に対して開閉可能に支持され、前記開口を閉塞する前面ドアと、
前記前面ドアのベース部材に対して着脱可能に装着される機能部材と、
前記機能部材の少なくとも一部に当接して前記機能部材を介してベース部材に固定可能であると共に、前記ベース部材に形成された孔部に挿入される弾性変形可能な係合部を備えた固定手段と、
を有し、
前記固定手段は、前記係合部を弾性変形させることで前記ベース部材に対して着脱可能であることを特徴とする遊技機。
【請求項２】
前記機能部材は、前記前面ドアの表面に装着される略矩形のパネル構造体であり、
前記固定手段は、前記パネル構造体に係合して、前記パネル構造体の上下方向、及び水平方向の少なくとも一方の移動を規制する規制部を備えたことを特徴とする請求項１に記載の遊技機。
【請求項３】
前記規制部は、前記パネル構造体の端面が当接する当接面を有することを特徴とする請求項２に記載の遊技機。
【請求項４】
前記規制部は、前記パネル構造体に形成された切欠部と係合する突出部を有することを特徴とする請求項２に記載の遊技機。
【請求項５】
前記パネル構造体は、２枚の透明パネルと、これら２枚の透明パネルの間に挟持される遊技情報シートを有することを特徴とする請求項１から４のいずれか１項に記載の遊技機。
【請求項６】
前面に開口を有する筐体と、
前記筐体に対して開閉可能に支持され、前記開口を閉塞する前面ドアと、
前記前面ドアのベース部材に対して着脱可能に装着される機能部材と、
前記機能部材の少なくとも一部に当接して前記機能部材を介してベース部材に固定可能であると共に、前記ベース部材に形成された孔部に挿入される係合部を備えた固定手段と、
を有し、
前記固定手段は、前記係合部をビス止めすることで前記ベース部材に対して着脱可能であることを特徴とする遊技機。
【請求項７】
前記機能部材は、前記前面ドアの表面に装着される略矩形のパネル構造体であり、
前記前面ドアは、前記パネル構造体の端部が差し込まれる凹溝を有することを特徴とする請求項６に記載の遊技機。
【請求項８】
前記パネル構造体は、２枚の透明パネルと、これら２枚の透明パネルの間に挟持される遊技情報シートを有することを特徴とする請求項６又は７に記載の遊技機。
【発明の詳細な説明】
【技術分野】
【０００１】
本発明は、スロットマシン、パチンコ機など、前面ドアに遊技領域を有する遊技機に関する。
【背景技術】
【０００２】
従来、上記したような遊技機は、前面に開口を有する筐体に対し、開口を閉塞するように開閉可能な前面ドアを支持した構成となっている。前記前面ドアには、遊技者によって操作されたり、視認等される各種の機能部材が配設されている。例えば、スロットマシンでは、前面ドアのベース部材の表面側に、遊技者によって操作されるスタートレバー、ベットボタン、リール停止ボタン等が設置された台座ユニット、遊技状態や演出等を表示する液晶表示装置、リールユニットのような変動表示装置を視認可能にすると共に、各種の遊技情報等が印刷された透明状の前面パネル（アクリル板）、ランプやスピーカ等が設置される上部ユニット、前面ドアの両サイドを覆うサイドカバー等が設置されている。
【０００３】
ところで、上記したような遊技機は、機種変更を行なう場合、或いは、破損等が生じた場合等、必要最小限の機能部材のみを交換し、共有化できるものについては再利用（リサイクル）して手間や費用を削減することが行われている。このため、各種の機能部材は、前面ドアを構成するベース部材に対して着脱可能となるように装着されており、必要に応じて機能部材を交換するようにしている。
【０００４】
上記したような機能部材を交換可能にする遊技機として、例えば、特許文献１に開示されている構成が知られている。この遊技機では、上記した前面パネルは、ベース部材のサイドから差し込まれるようになっており、前面パネルを差し込んだ状態で、両サイドにサイドカバーを当て付けて、これをベース部材の裏面側からネジ止めすることで固定するように構成されている。
【特許文献１】特開２００４−４１２４５号公報
【発明の開示】
【発明が解決しようとする課題】
【０００５】
上記した前面パネルは、遊技機の機種に応じた各種の遊技情報が印刷されており、機種変更する場合には必ず交換される機能部材となっている。上記した公知の遊技機では、前面パネルを交換するに際し、前面ドアを開放し、裏面側でサイドカバーを固定しているネジを取り外し、サイドカバーをベース部材から一旦取り外さないと交換できないような構成となっている。このため、交換作業の手間が掛かっており、上記したような機能部材の固定方法については、更に、改良する余地があると考えられる。
【０００６】
本発明は、上記した点に着目して成されたものであり、遊技機の前面ドアに装着される機能部材を容易に交換することを可能にした遊技機を提供することを目的とする。
【課題を解決するための手段】
【０００７】
上記した目的を達成するために、本発明に係る遊技機は、請求項１にあるように、前面に開口を有する筐体と、前記筐体に対して開閉可能に支持され、前記開口を閉塞する前面ドアと、前記前面ドアのベース部材に対して着脱可能に装着される機能部材と、前記機能部材の少なくとも一部に当接して前記機能部材を介してベース部材に固定可能であると共に、前記ベース部材に形成された孔部に挿入される弾性変形可能な係合部を備えた固定手段と、を有し、前記固定手段は、前記係合部を弾性変形させることで前記ベース部材に対して着脱可能であることを特徴とする。
【０００８】
上記した構成では、前面ドアのベース部材に機能部材を設置した後、固定手段の係合部をベース部材に形成された孔部に挿入することで、固定手段が機能部材に当接しつつ固定手段がベース部材に固定され、機能部材はベース部材に装着される。そして、機能部材を、別の同様な部材と交換するに際しては、前記固定手段の係合部を弾性変形させることで固定手段をベース部材から取り外す。これに伴い、機能部材は、固定手段による当接状態が解除され、ベース部材から取り外すことが可能になる。このように、機能部材は、前記固定手段の係合部を弾性変形させることで、ベース部材に対して着脱可能となり、従来のように、サイドカバーを止めているビスを取り外す等の手間がかかることは無い。
【０００９】
また、請求項２に係る発明では、前記機能部材は、前記前面ドアの表面に装着される略矩形のパネル構造体であり、前記固定手段は、前記パネル構造体に係合して、前記パネル構造体の上下方向、及び水平方向の少なくとも一方の移動を規制する規制部を備えたことを特徴とする。
【００１０】
この場合、固定手段には、パネル構造体に係合する規制部が設けられており、パネル構造体の上下方向や水平方向の移動が規制されるため、パネル構造体がガタ付くことなく、安定した状態で装着される。
【００１１】
なお、ここでのパネル構造体には、単に１枚の透明状のパネル（例えばアクリル板）に遊技情報を印刷等したもの、１枚の透明状のパネル（例えばアクリル板）に、遊技情報を印刷した透明状のシート部材を重ねたもの、あるいは、２枚の透明状のパネル（例えばアクリル板）に遊技情報を印刷した透明状のシート部材を挟持したもの等が挙げられる。
【００１２】
また、請求項３に係る発明では、前記規制部は、前記パネル構造体の端面が面接する当接面を有することを特徴とする。
【００１３】
このような構成では、固定手段をベース部材に固定した際、パネル構造体の端面が当接面に亘って当接するようになり、これによってパネル構造体の移動が規制されて、ガタ付きが抑制される。
【００１４】
また、請求項４に係る発明では、前記規制部は、前記パネル構造体に形成された切欠部と係合する突出部を有することを特徴とする。
【００１５】
このような構成では、固定手段をベース部材に固定した際、パネル構造体に形成された切欠部が突出部と係合するようになり、これによってパネル構造体の移動が規制されて、ガタ付きが抑制される。なお、この場合、切欠部は、例えば、パネル構造体の端部領域に凹状に形成されたものであったり、或いは、孔状に形成されたものであっても良い。
【００１６】
また、請求項５に係る発明では、前記パネル構造体は、２枚の透明パネルと、これら２枚の透明パネルの間に挟持される遊技情報シートを有することを特徴とする。
【００１７】
このような構成では、パネル構造体の交換作業は、上記した固定手段をベース部材から取り外して、前面側にある透明パネルをベース部材から取り外し、露出した状態となる遊技情報シートを取り出すことで行なうことが可能となる。すなわち、パネル構造体の全ての構成要素を着脱することなく、必要な部材のみを交換するので、交換作業に伴う手間や時間が軽減される。
【００１８】
また、上記した目的を達成するために、本発明に係る遊技機は、請求項５にあるように、前面に開口を有する筐体と、前記筐体に対して開閉可能に支持され、前記開口を閉塞する前面ドアと、前記前面ドアのベース部材に対して着脱可能に装着される機能部材と、前記機能部材の少なくとも一部に当接して前記機能部材をベース部材に固定可能であると共に、前記ベース部材に形成された孔部に挿入される係合部を備えた固定手段と、を有し、前記固定手段は、前記係合部をビス止めすることで前記ベース部材に対して着脱可能であることを特徴とする。
【００１９】
上記した構成では、前面ドアのベース部材に機能部材を設置した後、固定手段の係合部をベース部材に形成された孔部に挿入しビス止めすることで、固定手段が機能部材に当接しつつ固定手段がベース部材に固定され、機能部材はベース部材に装着される。そして、機能部材を、別の同様な部材と交換するに際しては、前記係合部からビスを外すことで固定手段をベース部材から取り外す。これに伴い、機能部材は、固定手段による当接状態が解除され、ベース部材から取り外すことが可能になる。このように、機能部材は、前記固定手段の係合部の固定ビスを外すことで、ベース部材に対して着脱可能となり、従来のように、サイドカバーを止めているビスを取り外す等の手間がかかることは無い。
【００２０】
また、請求項７に係る発明では、前記機能部材は、前記前面ドアの表面に装着される略矩形のパネル構造体であり、前記前面ドアは、前記パネル構造体の端部が差し込まれる凹溝を有することを特徴とする。
【００２１】
このような構成では、パネル構造体の端部を凹溝に差し込み、また、凹溝から取り外すことで、パネル構造体の一部が着脱可能であるため、上記した固定手段のパネル構造体に対する当接部分を少なくすることが可能となり、着脱作業が容易に行なえるようになる。
【００２２】
また、請求項８に係る発明は、前記パネル構造体は、２枚の透明パネルと、これら２枚の透明パネルの間に挟持される遊技情報シートを有することを特徴とする。
【００２３】
このような構成では、パネル構造体の交換作業は、上記した固定手段をベース部材から取り外して、前面側にある透明パネルをベース部材から取り外し、露出した状態となる遊技情報シートを取り出すことで行なうことが可能となる。すなわち、パネル構造体の全ての構成要素を着脱することなく、必要な部材のみを交換するので、交換作業に伴う手間や時間が軽減される。
【発明の効果】
【００２４】
本発明によれば、前面ドアに装着される機能部材に当接する固定手段によって、機能部材を着脱することが可能であるため、機能部材の交換作業の手間が軽減できると共に、交換に伴う作業時間が軽減されるようになる。
【発明を実施するための最良の形態】
【００２５】
以下、図面を参照しながら、本発明の実施形態について詳細に説明する。
【００２６】
図１から図５は、本発明に係る遊技機の一実施形態であるスロットマシンを示す図であり、図１は、スロットマシンの全体構成を示す図、図２は、リールユニットを視認可能にする前面パネルを取り外した状態を示す正面図、図３は、筐体の開口に対して開閉可能に支持される前面ドアの構成を示す一部分解斜視図、図４は、前面ドアを裏面から見た図、そして、図５は、前面ドアのサイドカバー部分を取り外して側方から見た図である。
【００２７】
スロットマシン１は、リールユニット等の遊技ユニットやメダル払出装置が設置され、前面に矩形の開口（図示せず）を有する筐体２と、この筐体に対し、前記開口を閉塞するように、一方の側辺側に開閉可能に支持される前面ドア３とを備えて構成されている。
【００２８】
前記前面ドア３は、前記開口に対応する大きさに構成された平面視で略矩形のベース部材３ａを備えており、その前面側（遊技者と対向する面側）には、以下のような各種の機能部材が配設されている。この場合、ベース部材３ａの表面側には、各種の機能部材が取り付け可能となるように、取り付け領域が形成されている。
【００２９】
前記ベース部材３ａの表面側には、図３に示すように、上方から順に、上部ユニット取り付け領域５、前面パネル取り付け領域７、台座ユニット取り付け領域９が形成されている。また、ベース部材３ａには、台座ユニット取り付け領域の下方側に、腰部パネル取り付け領域（図示せず）及び下部ユニット取り付け領域（図示せず）が形成されている。これらの取り付け領域は、ベース部材３ａを各ユニットに対応するように所定の凹凸形状に成形したり、或いは、別途、フレーム部材を取着したり、これらを組み合わせ等することによって構成されており、夫々の領域には、以下に述べる各種のユニット（機能部材）が取り付けられる。
【００３０】
前記上部ユニット取り付け領域５に装着される上部ユニット１０は、例えば、基部１１に対して左右一対のスピーカ装置１２Ｌ，１２Ｒを覆うスピーカカバー１３Ｌ，１３Ｒ、表示窓１４、レンズカバー１５を装着して構成されている。また、それ以外にも、例えば、装飾用ＬＥＤ、ＬＥＤ用基板、液晶パネル、コネクタ等の各種の構成部材１７を装着してユニット化されており、前記上部ユニット取り付け領域５に裏面側からビス止め等されることで装着される。
【００３１】
前記前面パネル取り付け領域７に装着されるパネル構造体２０（本実施形態では、遊技情報が印刷等された１枚の透明パネル；以下前面パネル２０とする）は、略矩形形状の透明な素材（例えば、アクリル）で形成されており、筐体の内部に配設されたリールユニットを視認可能に構成されている。また、前面パネル取り付け領域７には、その両サイドに、例えば、一のゲームを行なうために賭けられたメダルの数(ＢＥＴ数)に応じて点灯するＢＥＴランプ群７ａ、特別な遊技状態に移行したこと等を表示する各種ランプ群７ｂ、メダルのクレジット枚数、入賞時のメダルの払出枚数、ボーナスゲームにおける遊技回数等を表示する７セグメントによる各種表示部７ｃ等が配設されており、これらの各種表示部についても、前面パネル取り付け領域７に装着される前面パネル２０を通して視認できるようになっている。この場合、前面パネル２０には、そのスロットマシンの機種に対応して、例えば、入賞ライン、リール表示窓、各種表示部に対応した外観模様等の遊技情報が形成（印刷）されている。なお、前面パネル２０の前面パネル取り付け領域７に対する装着方法については後述する。
【００３２】
前記台座ユニット取り付け領域９に装着される台座ユニット３０は、基部３１、遊技情報や演出画像等を表示する画像表示装置３２の表示窓３２ａ、メダル投入口３３、遊技メダルの投入を条件としてリールユニットの各リールの回転を開始させるスタートレバー３４、各リールに個別に対応して各リールの回転を停止させるための３個のストップスイッチ３５ａ，３５ｂ、３５ｃ、ＢＥＴ数に対応する個数のＢＥＴボタン３６、その他の操作スイッチ群３７や、コネクタ等の各種の構成部材３８を装着してユニット化されており、前記台座ユニット取り付け領域９に裏面側からビス止め等されることで装着される。
【００３３】
前記腰部パネル取り付け領域（図示せず）には、化粧用の腰部パネル５０が装着されており、腰部パネル取り付け領域に対して側方から差し込んで装着されるようになっている。なお、この腰部パネル５０は、後述するホルダ（固定手段）によってベース部材３ａに装着することも可能である。また、前記下部ユニット取り付け領域（図示せず）には、メダルが排出されるメダルトレイ６１を備えた下部ユニット６０が裏面側からビス止め等されることで装着されており、メダルトレイ６１には、筐体２に配設されたメダル払出装置（図示せず）から排出されるメダルをメダルトレイに臨む排出口６２に案内するシュータ６４が設けられている。
【００３４】
また、上記したベース部材３ａの両サイドには、上下方向に延出するサイドカバー７０Ｌ，７０Ｒがビス等によって固定されている。これらのサイドカバー７０Ｌ，７０Ｒは、ベース部材３ａに対して装着されると共に、例えば、装飾用ＬＥＤ、ＬＥＤ用基板、コネクタ等の各種の構成部材（図示せず）を組み込んでユニット化して構成されたものであっても良い（もちろん、単なる金属材料で構成するようにしても良い）。これら両サイドカバー７０Ｌ，７０Ｒは、上述したベース部材３ａに対して取り付けられる上部ユニット１０、台座ユニット３０、及び下部ユニット６０の各機能部材に対し、左右両方向から当接するようにベース部材３ａにそれぞれ取り付けられる。この場合、上部ユニット１０、台座ユニット３０、及び下部ユニット６０は、別途、両サイドカバー７０Ｌ，７０Ｒをベース部材３ａから取り外さなくても、上述した固定ビス等を解除することによりベース部材３ａから取り外しできるよう構成されている。
【００３５】
本実施形態におけるベース部材３ａの裏面側には、前面ドア３を筐体２に対して回動可能に支持するヒンジ機構７２（サイドカバー７０Ｌ側）、及び上下のヒンジ機構を連結して支持強度を高める支持プレート７３が設けられており、また、前面ドア３を筐体２の開口に対して閉塞する際、両者を係止するための係止機構７５（サイドカバー７０Ｒ側）が設けられている。このため、両サイドカバー７０Ｌ，７０Ｒは、これらのヒンジ機構７２、支持プレート７３、係止機構７５等をベース部材３ａから取り外した状態にしないと、ベース部材３ａに対して着脱操作が行なえないように構成されている。
【００３６】
本発明は、上述したような機能部材を、前面ドア３のベース部材３ａに対して、固定手段によって着脱可能に構成したことを特徴としており、以下に述べる本実施形態においては、機能部材を上記した１枚で構成される前面パネル２０とした場合について説明する。
【００３７】
まず、上記した前面パネル２０をベース部材３ａに対して着脱可能に固定するための固定手段の構成を、上記した図１から図５に加え、図６から図１０を参照しながら説明する。これらの図において、図６は、前面パネルの左サイドに装着される固定手段を構成するホルダの拡大正面図、図７は、図６をＡ方向から見た図、図８は、図６を背面側から見た図、図９は、図６をＢ方向から見た図、そして、図１０は、図６をＣ方向から見た図である。なお、以下の説明では、両側に装着されるホルダは、同一の構成であるため、左側のホルダのみを図示し、右側のホルダについては、その詳細な説明は省略する。
【００３８】
固定手段は、前記前面パネル２０の両サイドの端部表面領域に当接する一対のホルダ１００を備えており、前面パネル２０の左右両辺（縦の辺）２０ａの高さと略同じ高さを有する細長状の部材として構成されている。図３において、各ホルダ１００が前面パネル２０に対して当接する領域を斜線で示してある。
【００３９】
ホルダ１００は、取り扱い性に優れ、破損等しないような耐久性に優れた材料、例えば、ＡＢＳ樹脂、ポリカーボネート、ナイロン等の材料によって構成されている。なお、これらの材料の内、ＡＢＳ樹脂で構成することにより、コストが安価で耐久性に優れるといった効果が得られる。
【００４０】
前記ホルダ１００は、上下方向に延出する基部１０１を備えており、この基部１０１には、図１０に示すように、前面パネル２０の表面端部領域に沿って当接される当接部１０２と、前面パネル２０の縦の辺２０ａにおける前方側の端面２０ａ´に当接される規制部１０３が形成されている。この場合、当接部１０２が当接する領域は、図３に示すように、前面パネル２０の表面端部の高さ方向全てに亘る領域とされており、規制部１０３が当接する領域も、当接部１０２と同様、前面パネル２０の端面２０ａ´の高さ方向全てに亘る領域とされている。なお、規制部１０３は、右側に設置されるホルダにも形成されていることから、前面パネル２０の水平方向の移動（水平方向のガタ付き）を規制する機能を備えている。
【００４１】
また、ホルダ１００の基部１０１には、高さ方向に沿って所定の間隔をおいて、前面ドア３のベース部材３ａに係合する係合部１１０，１２０が形成されている。本実施形態の係合部１１０，１２０は、基部１０１の外側面１０１ａに、後方に向かうように３箇所形成されており、上の２つ１１０は同一の構成、下の一つ１２０は異なる構成を備えている。この場合、各係合部１１０，１２０は、ベース部材３ａの表面において、前面パネル２０が装着される領域（前面パネル取り付け領域７）の側方に予め形成された孔部３ｄに挿入されることで、ホルダ１００は、ベース部材３ａに対して固定されるようになっている。
【００４２】
図６から図９に示されるように、上の２つの係合部１１０は、後方に向けて突出する弾性変形可能な一対の脚部１１１を備えている。各脚部１１１の先端側には、前記孔部３ｄに挿入された状態でベース部材３ａの裏面３ｅに当接する保持部１１２を備えており、この保持部１１２には、脚部１１１がベース部材３ａに形成された孔部３ｄに挿入される際、図７、図９の矢印方向に向けて脚部１１１を弾性変形させて案内する案内部１１２ａが形成されている。また、下の係合部１２０は、後方に向けて突出する弾性変形可能な脚部１２１を備えている。この脚部１２１には、前記脚部１１１と同様、孔部３ｄに挿入された状態でベース部材３ａの裏面３ｅに当接する保持部１２２を備えており、この保持部１２２の先端側には、脚部１２１がベース部材３ａに形成された孔部３ｄに挿入される際、図７、図９の矢印方向に向けて脚部１２１を弾性変形させて案内する案内部１２２ａが形成されている。
【００４３】
上記した構成の各係合部１１０，１２０の脚部１１１，１２１を孔部３ｄに挿入することで、ホルダ１００は、上記した当接部１０２及び規制部１０３が前面パネル２０に当接し、かつ係合部１１０，１２０によってホルダ１００がベース部材３ａに対して固定された状態となり、これにより、前面パネル２０は、ベース部材３ａに対して装着された状態となる。この場合、当接部１０２、及び規制部１０３による当接領域が長手方向全体に亘っていることから、その保持状態が安定し、また左右方向にガタ付くことはない。
【００４４】
なお、ホルダ１００をベース部材３ａから取り外す場合は、上記した各係合部１１０，１２０の脚部１１１，１２１の先端部分を指で摘んで矢印方向に弾性変形させながら保持部１１２，１２２のベース部材３ａの裏面３ｅに対する当接を解除し、ホルダ１００を孔部３ｄから引き抜けば良い。このため、ホルダ１００の基部１０１には、前方側に突出する突出片１０５が形成されており、この突出片１０５を摘むことで、ホルダ１００を取り外し易くしている。なお、この突出片１０５は、ホルダ全体の強度を維持する補強部としての機能も備えている。
【００４５】
上記したホルダ１００には、更に、前面パネル２０を保持した際に、前面パネル２０の上下方向の移動を規制する規制部を設けておくことが好ましい（水平方向の規制は、上記した規制部１０３によって成される）。
【００４６】
具体的に、この規制部は、上記した当接部１０２と規制部１０３によって直角に交わる部分の中間部に、一対の突片（突出部）１０７を形成することで構成される。そして、これに対応して、前面パネル２０の左右の縦の辺２０ａには、図３に示すように、突片１０７が係合する切欠部２０ｅが形成されており、突片１０７を切欠部２０ｅに係合させることで、前面パネル２０の上下方向の移動（ガタ付き）が規制される。
【００４７】
なお、本実施形態では、ベース部材３ａに装着される前面パネル２０の上下の辺２０ｂについては、上部ユニット１０及び台座ユニット３０をベース部材３ａに装着した際、それぞれの当接部が前面パネル２０の上下の辺２０ｂの表面端部領域に当接するようになっており、これにより前面パネル２０は、上記した左右両側のホルダ１００、及び上部ユニット１０、台座ユニット３０によって周囲が当接、保持され、ベース部材３ａに対して装着された状態となる。
【００４８】
上記したようなホルダ１００を配設したスロットマシンにおいて、例えば、機種変更時に、上記した各機能部材を取り換える手順について説明する。
【００４９】
最初、前面ドア３を開き、裏側からホルダ１００の各係合部１１０，１２０の脚部１１１，１２１の先端部分を指で摘んで矢印方向に弾性変形させながら各保持部１１２，１２２のベース部材３ａの裏面３ｅに対する当接を解除する。そして、この状態でホルダ１００の突出片１０５を摘んで、ホルダ１００による保持状態を解除する。
【００５０】
これにより、前面パネル２０をベース部材３ａから取り外し、これを、新たな機種に対応した前面パネルに変更することで取り換え作業が終了する。この場合、ホルダ１００の各係合部１１０，１２０の係合を解除することで、前面ドア３を閉じた状態で前面ドアの前方側から前面パネル２０を取り外すことが可能となっている。また、新たな前面パネルの装着作業は、上記した取り外しの手順と逆の手順で行なわれる。
【００５１】
上記した機能部材の取り換え作業では、従来行なわれていたサイドカバー７０Ｌ，７０Ｒをベース部材３ａから取り外さなくても良いため、作業効率が向上すると共に、手間が軽減され、作業時間の短縮が図れる。特に、上記したように、前面パネル２０については、単にホルダ１００の係合部１１０，１２０を弾性変形させ、脚部１１１，１２１を孔部３ｄから取り外し可能な状態にしておくことで、前面ドア３を閉じた状態でも前面パネル２０の交換作業を行なうことが可能になる。
【００５２】
また、ベース部材３ａに装着された前面パネル２０は、その両側がホルダ１００によって保持されており、かつ上記した規制部１０３や一対の突片（突出部）１０７によって、水平方向及び上下方向の移動が規制された状態になっているので、ガタ付きなどが生じることなく、装着状態が安定する。
【００５３】
なお、上記した固定手段であるホルダ１００については、前面パネル２０の少なくとも一部に当接して保持できるものであれば良く、例えば、上下の対向する辺２０ｂの領域に当接したり、いずれか１つの辺の部分（辺全体であっても良いし、一部であっても良い）に当接して保持するような構成であっても良い。この場合、ホルダ１００によって保持されない部分は、他の機能部材を当接させて装着したり、或いは、ベース部材３ａに係合保持される部分（例えば、凹溝等）を形成しておき、ホルダで当接される以外の部分については、ベース部材３ａに形成された凹溝等に差し込んで係止させても良い。
【００５４】
また、上記したホルダ１００は、一対として前面パネル２０の縦の辺２０ａの端部表面領域に当接するようにしたが、例えば、図１１に示すように、ホルダ１００をロの字型にして、前面パネルの周囲全てに当接するようにしても良い（当接部分を斜線で示す）。このような構成によれば、前面パネル２０は、上記したように上部ユニット１０や台座ユニット３０で当接して装着しないことから、上部ユニット１０や台座ユニット３０をベース部材３ａから取り外すことなく、単独で前面パネル２０のみを着脱可能に交換することが可能になる。
【００５５】
図１２から図１９は、本発明の第２の実施形態を示す図であり、図１２は、筐体の開口に対して開閉可能に支持される前面ドアの構成を示す一部分解斜視図、図１３は、前面ドアのサイドカバー部分を取り外して側方から見た拡大図、図１４は、パネル構造体を取り外した状態を示す正面図、図１５は、前面ドアのベース部材に形成される孔部の拡大図、図１６は、パネル構造体に装着されるホルダの構成を示す図、図１７は、図１６に示すホルダをＤ方向から見た図、図１８は、図１６に示すホルダを背面側から見た図、そして、図１９は、ホルダに固定されるビスを示す斜視図である。なお、以下の実施の形態においては、上記した実施形態と同様な部分については、同一の参照符号を付し、その詳細な説明については省略する。
【００５６】
本実施形態では、前面ドア３のベース部材３ａから着脱可能に構成される部材は、遊技領域を視認可能にするパネル構造体２０Ａとされている。パネル構造体２０Ａは、略矩形状に形成された２枚の透明状の透明パネル２０Ｂ，２０Ｃ、及び各種の遊技情報が印刷された透明状の遊技情報シート（フィルム状のシート）２０Ｄによって構成されており、この遊技情報シート２０Ｄが２枚の透明状の透明パネル２０Ｂ，２０Ｃに挟持されることで構成されている。この場合、透明パネル２０Ｂ，２０Ｃは、前面側となる透明パネル２０Ｂの方が、透明パネル２０Ｃと比較して、高さ方向が僅かに短く形成されている。
【００５７】
パネル構造体２０Ａを着脱可能に固定する固定手段であるホルダ２００は、細長い板状に構成された基部２０１を備え、この基部の一側面には、全長に亘って当接面２０２が形成されると共に、当接面側に、所定の間隔おいて一対のボス（係合部）２０３が形成されている。一方、透明パネル２０Ｂ，２０Ｃ、及び遊技情報シート２０Ｄには、これらを重ね合わせた際に対応する位置に、所定間隔をおいて一対の孔部２０Ｅが形成されている。そして、ホルダ２００の基部２０１に形成された当接面２０２は、各ボス２０３を孔部２０Ｅに挿入することで、パネル構造体２０Ａの上側の端部領域に水平方向に沿って当接するようになっている。
【００５８】
前面ドア３のベース部材３ａには、パネル構造体２０Ａに形成された一対の孔部２０Ｅに対応するように一対の孔部３ｈが形成されている。これらの孔部３ｈには、図１５に示すように、中央に固定用のビス２５０（図１９参照）が挿入されるビス孔３ｋを具備した底部３ｇが形成されている。また、前記ホルダ２００に突出形成されたボス２０３には、軸方向に沿って雌ネジ部２０３ａが形成されており、この雌ネジ部２０３ａの径は、前記ビス孔３ｋと一致するように形成されている。
【００５９】
また、前面ドア３のベース部材３ａには、パネル構造体２０Ａの上下の辺（上下の端部領域）が差し込まれるように、水平方向に沿った凹溝２２０ａ，２２０ｂが形成されている。この場合、各凹溝２２０ａ，２２０ｂは、本実施形態では、図１３に示すように、ベース部材３ａに装着される上部ユニット１０の裏側の面とベース部材３ａとの間の隙間、及びベース部材３ａに装着される台座ユニット３０の裏側の面とベース部材３ａとの間の隙間で形成されるようになっている。もちろん、このような構成によらず、ベース部材３ａの一部を屈曲させて、このような凹溝をベース部材３ａに一体形成しても良い。
【００６０】
この凹溝２２０ａ，２２０ｂは、パネル構造体２０Ａの前面側に位置する透明パネル２０Ｂが上下方向に多少の遊びが生じる程度に形成される。
【００６１】
上記したような構成において、ホルダ２００によってベース部材３ａに装着されているパネル構造体２０Ａを取り換える手順について説明する。
【００６２】
最初、前面ドア３を開き、裏側から固定用のビス２５０を取り外し、パネル構造体２０Ａに当接しているホルダ２００を取り外してホルダ２００による保持状態を解除する。この状態で、前面側の透明パネル２０Ｂは、凹溝２２０ａ，２２０ｂとの間の上下方向の隙間によって、上下方向にシフトすることが可能となり、前面側の透明パネル２０Ｂのみをベース部材３ａから取り外す。また、これに伴い、遊技情報シート２０Ｄもベース部材３ａから取り外し、これを新しい遊技情報シートと交換する。
【００６３】
そして、新しい遊技情報シートに取り換えた後、上記したように取り外した前面側の透明パネル２０Ｂの上下の端部を前記凹溝２２０ａ，２２０ｂに差し込む。この状態で、透明パネル２０Ｂ，２０Ｃ、及び新しい遊技情報シート２０Ｄの一対の孔部２０Ｅを一致させて、ホルダ２００を表面に当接させながら、一対のボス２０３を孔部２０Ｅ及びベース部材に形成された孔部３ｈに挿入する。このとき、各ボス２０３は、孔部３ｈ内に位置した状態で、雌ネジ部２０３ａとビス孔３ｋが一致した状態となる。そして、この状態で、前面ドア３の裏側から固定用のビス２５０を螺入することで、上記したパネル構造体２０Ａは、ベース部材３ａに固定され、取り換え作業が終了する。
【００６４】
上記した構成によれば、ホルダ２００のベース部材に対する固定ビス２５０の係合を解除するだけで、パネル構造体２０Ａにおける遊技情報シート２０Ｄを交換することが可能となる。すなわち、固定ビス２５０をボス２０３から取り外すことにより、前面ドア３を閉じた状態でも、前面ドア３の前方側から遊技情報シート２０Ｄの交換作業（取り外し作業、及び取り付け作業）が行なえるようになり、交換作業の手間を軽減でき、かつ作業時間の短縮が図れる。特に、本実施形態の構成によれば、パネル構造体２０Ａの全ての構成部材をベース部材３ａから取り外す必要はなく、また、上部ユニット１０や台座ユニット３０についてもベース部材３ａから取り外さなくても、遊技情報が形成されている部分（遊技情報情報シート）の交換ができるため、より交換作業の手間を軽減でき、かつ作業時間の短縮が図れるようになる。更には、シート状の部材を交換するだけで、透明パネル２０Ｂ，２０Ｃは、そのまま援用できる（再利用できる）ので、交換時におけるコストを安くすることが可能になる。
【００６５】
以上、本発明の実施形態について説明したが、本発明は、上記した実施形態に限定されることはなく、種々変形することが可能である。上記したパネル構造体を固定する固定手段については、上記したホルダ１００，２００のように細長い板状の部材ではなく、スポット状に当接することで、パネル構造体を固定するような構成であっても良い。また、ホルダのベース部材３ａに対する固定方法については、上記した第２の実施形態においては第１の実施形態のように、弾性変形させるような係合部を設けたものであっても良いし、或いは、上記した第１の実施形態においては、第２の実施形態のように、ビス止めされるようなネジ部を形成したものであっても良い。
【００６６】
また、上記したような固定手段によってベース部材３ａに装着されるのは、パネル構造体２０以外にも、腰部パネル５０であっても良い。或いは、ホルダの保持強度が充分確保できれば、上部ユニット１０や台座ユニット３０に当接して保持するようにしても良い。
【図面の簡単な説明】
【００６７】
【図１】本発明に関する遊技機の一実施形態であるスロットマシンの全体構成を示す図。
【図２】前面パネルを取り外した状態を示す正面図。
【図３】筐体の開口に対して開閉可能に支持される前面ドアの構成を示す一部分解斜視図。
【図４】前面ドアを裏面から見た図。
【図５】前面ドアのサイドカバー部分を取り外して側方から見た図。
【図６】前面パネルの左サイドに装着されるホルダの構成を示す拡大正面図。
【図７】図６をＡ方向から見た図。
【図８】図６を背面側から見た図。
【図９】図６をＢ方向から見た図。
【図１０】図６をＣ方向から見た図。
【図１１】ホルダの変形例を示す図。
【図１２】本発明の第２の実施形態を示す図であり、筐体の開口に対して開閉可能に支持される前面ドアの構成を示す一部分解斜視図。
【図１３】前面ドアのサイドカバー部分を取り外して側方から見た拡大図。
【図１４】パネル構造体を取り外した状態を示す正面図。
【図１５】前面ドアのベース部材に形成される孔部の拡大図。
【図１６】パネル構造体に装着されるホルダの構成を示す図。
【図１７】図１６に示すホルダをＤ方向から見た図。
【図１８】図１６に示すホルダを背面側から見た図。
【図１９】ホルダに固定されるビスを示す斜視図。
【符号の説明】
【００６８】
１  スロットマシン（遊技機）
２  筐体
３  前面ドア
３ａ  ベース部材
３ｄ  孔部
１０  上部ユニット（機能部材）
２０  前面パネル（機能部材）
２０Ａ  パネル構造体（機能部材）
３０  台座ユニット（機能部材）
７０Ｌ，７０Ｒ  サイドカバー
１００，２００  ホルダ
１０２  当接部
１１０，１２０  係合部
２０３  ボス（係合部）
２５０  ビス
【図１】
2006181089.tif 000003
【図２】
2006181089.tif 000004
【図３】
2006181089.tif 000005
【図４】
2006181089.tif 000006
【図５】
2006181089.tif 000007
【図６】
2006181089.tif 000008
【図７】
2006181089.tif 000009
【図８】
2006181089.tif 000010
【図９】
2006181089.tif 000011
【図１０】
2006181089.tif 000012
【図１１】
2006181089.tif 000013
【図１２】
2006181089.tif 000014
【図１３】
2006181089.tif 000015
【図１４】
2006181089.tif 000016
【図１５】
2006181089.tif 000017
【図１６】
2006181089.tif 000018
【図１７】
2006181089.tif 000019
【図１８】
2006181089.tif 000020
【図１９】
2006181089.tif 000021